(57)【要約】  筒状の真空容器（４）の内部に封入されており、開閉器を構成する固定側電極（５ａ）および可動側電極（５ｂ）と、真空容器（４）の端部に設けられ、電流取り出し用の固定側接続導体（６）に接続されると共に、固定側電極（５ａ）に接続される固定側電極棒（７）と、真空容器（４）の外部に配置され、直線駆動軸（８）を有する電磁操作機構（３）と、直線駆動軸（８）に連結される可動側電極棒（１０）と、真空容器（４）、固定側接続導体（６）と共にモールド絶縁体（１４）によって被覆された可動側接続導体（１１）とを備え、固定側電極（５ａ）、可動側電極（５ｂ）、固定側電極棒（７）、電磁操作機構（３）の直線駆動軸（８）および可動側電極棒（１０）のそれぞれの中心軸が同一線上に配置された状態で固定されており、電磁操作機構（３）は、モールド絶縁体（１４）に固定された一体単相モジュールであるスイッチギヤ（１００ａ）を得る。
2016125328.tif 000002
【特許請求の範囲】
【請求項１】
筒状の真空容器の内部に封入されており、開閉器を構成する固定側電極および可動側電極と、
前記真空容器の端部に設けられ、電流取り出し用の固定側接続導体に接続されると共に、前記固定側電極に接続される固定側電極棒と、
前記真空容器の外部に配置され、直線駆動する直線駆動軸を有する電磁操作機構と、
前記可動側電極に接続されると共に、前記真空容器の内部に配置された絶縁支持棒を介して前記電磁操作機構の前記直線駆動軸に連結される可動側電極棒と、
前記可動側電極棒からの電流取り出し用であり、前記真空容器、前記固定側接続導体と共にモールド絶縁体によって被覆された可動側接続導体と、を備え、
前記固定側電極、前記可動側電極、前記固定側電極棒、前記電磁操作機構の前記直線駆動軸および前記可動側電極棒のそれぞれの中心軸が同一線上に配置された状態で固定されており、前記電磁操作機構は、前記モールド絶縁体に固定された一体単相モジュールであることを特徴とするスイッチギヤ。
【請求項２】
筒状の別の真空容器の内部に封入されており、接地開閉器を構成する固定側接地電極および可動側接地電極と、
前記別の真空容器の端部に設けられ、電流取り出し用の前記固定側接続導体に接続されると共に、前記固定側接地電極に接続される固定側接地電極棒と、
前記別の真空容器の外部に前記電磁操作機構に対向して配置され、直線駆動する別の直線駆動軸を有する別の電磁操作機構と、
前記可動側接地電極に接続されると共に、前記別の電磁操作機構の前記別の直線駆動軸に連結される可動側接地電極棒と、
を備え、
前記固定側電極、前記可動側電極、前記固定側接地電極、前記可動側接地電極、前記固定側電極棒、前記固定側接地電極棒、前記直線駆動軸、前記別の直線駆動軸、前記可動側電極棒および前記可動側接地電極棒のそれぞれの中心軸が同一線上に配置された状態で固定されており、
前記真空容器および前記別の真空容器、前記固定側接続導体および前記可動側接続導体は、前記モールド絶縁体によって被覆されており、前記電磁操作機構および前記別の電磁操作機構は、前記モールド絶縁体に固定された別の一体単相モジュールであることを特徴とする請求項１に記載のスイッチギヤ。
【請求項３】
前記一体単相モジュールまたは前記別の一体単相モジュールを複数台並列に配置し、複数相用に対応させたことを特徴とする請求項２に記載のスイッチギヤ。
【請求項４】
前記固定側接続導体または前記可動側接続導体は、それぞれ前記モールド絶縁体により凸形状に成形されたモールド成形部分を有し、
前記一体単相モジュールと前記別の一体単相モジュールとの接続を、中心に導体を配し両端が凹形状の別のモールド絶縁体によって成形された接続モジュールを用いておこなうことを特徴とする請求項３に記載のスイッチギヤ。
【請求項５】
前記固定側接続導体または前記可動側接続導体は、それぞれ前記モールド絶縁体により凹形状に成形されたモールド成形部分を有し、
前記一体単相モジュールと前記別の一体単相モジュールとの接続を、中心に導体を配し両端が凸形状の別のモールド絶縁体によって成形された接続モジュールを用いておこなうことを特徴とする請求項３に記載のスイッチギヤ。
【請求項６】
前記開閉器は、遮断器あるいは断路器であることを特徴とする請求項１から請求項５のいずれか１項に記載のスイッチギヤ。
【請求項７】
前記モールド絶縁体の外側表面は、導電性の塗料あるいは樹脂により接地されていることを特徴とする請求項１から請求項６のいずれか１項に記載のスイッチギヤ。
【請求項８】
前記電磁操作機構は、前記固定側電極と前記可動側電極との間の距離を変更させることにより、前記可動側電極を遮断位置と断路器位置とに変更させ、前記開閉器を前記遮断器と前記断路器の複合開閉装置としたことを特徴とする請求項６に記載のスイッチギヤ。  
【発明の詳細な説明】
【技術分野】
【０００１】
この発明は、電力の送配電および受配電などに用いられ、電力の開閉を行うスイッチギヤに関するものである。
【背景技術】
【０００２】
従来のスイッチギヤは、複数の真空室に分けられた真空容器内に、駆動される可動電極と、可動電極と対をなす固定電極が１対以上機密に封入された真空バルブをスイッチギヤ筺体内に設置している。また、スイッチギヤは、スイッチギヤ筺体内に設置した操作機構の出力を変換軸および操作ロッドを介して可動電極に伝達する構成となっている（例えば、特許文献１参照）。
【先行技術文献】
【特許文献】
【０００３】
【特許文献１】国際公開第２０００／０２１１０８号公報
【発明の概要】
【発明が解決しようとする課題】
【０００４】
しかしながら、特許文献１に開示された従来のスイッチギヤは、各電極と操作機構出力軸が同軸上に配置されておらず、また、真空バルブおよび操作機構が、夫々独立してスイッチギヤ筺体に取り付けられている。そのため、真空バルブの可動電極と操作機構出力軸の接続構造が複雑化し、スイッチギヤの大型化を招くおそれがあった。
また、真空バルブおよび操作機構は、別ユニットとなっているため、様々な顧客仕様に応じて真空バルブおよび操作機構の配置方法、筺体構造、主回路導体の配置方法を大幅に変更しなければならないという問題点があった。【０００５】
この発明は、前述のような課題を解決するためになされたもので、真空容器内部の可動側電極と電磁操作機構の出力軸の接続構造を簡略化し、大型化を防ぐことのできるスイッチギヤを得ることを目的としている。また、この発明は、様々な顧客仕様対応時の大幅な変更を防止することのできるスイッチギヤを得ることを目的としている。
【課題を解決するための手段】
【０００６】
この発明に係わるスイッチギヤは、筒状の真空容器の内部に封入されており、開閉器を構成する固定側電極および可動側電極と、前記真空容器の端部に設けられ、電流取り出し用の固定側接続導体に接続されると共に、前記固定側電極に接続される固定側電極棒と、前記真空容器の外部に配置され、直線駆動する直線駆動軸を有する電磁操作機構と、前記可動側電極に接続されると共に、前記真空容器の内部に配置された絶縁支持棒を介して前記電磁操作機構の前記直線駆動軸に連結される可動側電極棒と、前記可動側電極棒からの電流取り出し用であり、前記真空容器、前記固定側接続導体と共にモールド絶縁体によって被覆された可動側接続導体と、を備え、前記固定側電極、前記可動側電極、前記固定側電極棒、前記電磁操作機構の前記直線駆動軸および前記可動側電極棒のそれぞれの中心軸が同一線上に配置された状態で固定されており、前記電磁操作機構は、前記モールド絶縁体に固定された一体単相モジュールであることを特徴とするものである。
【発明の効果】
【０００７】
この発明によるスイッチギヤによれば、電極の駆動方向、電磁操作機構の駆動方向が全て同一線上にあるため、変換軸や他のモジュールとの連結が不要であり、且つ主回路連結方向に電磁操作機構がないため、コンパクトな構成のスイッチギヤを得ることができる。
【図面の簡単な説明】
【０００８】
【図１】この発明の実施の形態１におけるスイッチギヤを示す断面側面図である。
【図２】この発明の実施の形態２におけるスイッチギヤの要部を示す断面側面図である。
【図３】この発明の実施の形態３におけるスイッチギヤの外形を示す正面図である。
【図４】この発明の実施の形態４におけるスイッチギヤの要部を示す断面側面図である。
【図５】この発明の実施の形態５におけるスイッチギヤを示す断面側面図である。
【図６】この発明の実施の形態１および実施の形態２における電磁操作機構を示す断面側面図である。
【発明を実施するための形態】
【０００９】
実施の形態１．
以下、図面に基づいてこの発明の実施の形態１について説明する。
図１は、この発明の実施の形態１によるスイッチギヤを示す断面側面図である。図１に示すように、スイッチギヤ１００ａは、第１の一体単相モジュール５０ａおよびスイッチギヤ１００ａの制御装置を収納した制御箱１を架台２上に備えている。
第１の一体単相モジュール５０ａは、絶縁体を有する筒状の真空容器４と、この真空容器４内に開閉器を構成する固定側電極５ａおよび可動側電極５ｂとを備えている。また、第１の一体単相モジュール５０ａは、真空容器４の端部に設けられ、電流取り出し用の固定側接続導体６に接続されると共に固定側電極５ａに接続される固定側電極棒７を備えている。さらにまた、第１の一体単相モジュール５０ａは、真空容器４の外部に配置され、直線駆動する直線駆動軸８を有する電磁操作機構３を備えている。
【００１０】
また、第１の一体単相モジュール５０ａは、可動側電極５ｂに接続されると共に真空容器４の内部に配置された絶縁支持棒９を介して、電磁操作機構３の直線駆動軸８に連結される可動側電極棒１０を有している。さらにまた、第１の一体単相モジュール５０ａは、真空容器４に設けられ、可動側電極棒１０からの電流取り出し用の可動側接続導体１１に接続する可とう性導体１２を有している。なお、絶縁支持棒９は、電気的絶縁を行うために真空容器４の内部に配置されている。
真空容器４、固定側接続導体６および可動側接続導体１１は、エポキシ等の樹脂であるモールド絶縁体１４によって被覆されている。
また、他の主回路機器との接続のため、固定側接続導体６のモールド絶縁体１４で被覆されている部分および可動側接続導体１１のモールド絶縁体１４で被覆されている部分は、凸形形状に成形されている。図１においては、第１の一体単相モジュール５０ａの上下方向にケーブルコネクタ１３が接続されている。第１の一体単相モジュール５０ａと別の一体単相モジュールとの接続は、中心に導体を配し両端が凹形状の別のモールド絶縁体によって成形された接続モジュールを用いておこなう。
【００１１】
さらに、固定側電極５ａ、可動側電極５ｂ、固定側電極棒７、電磁操作機構３の直線駆動軸８および可動側電極棒１０は、それぞれの中心軸が同一線上に配置された状態で固定されている。また、電磁操作機構３は、モールド絶縁体１４に固定されて取り付けられている。実施の形態１において、機械的駆動部は、第１の一体単相モジュール５０ａにて完結した構成である。図１において、機械的駆動部は、可動側電極５ｂ、電磁操作機構３の直線駆動軸８、絶縁支持棒９、可動側電極棒１０で構成されている。
また、図６は、実施の形態１における電磁操作機構３の詳細を示す断面側面図である。図６に示すように、電磁操作機構３は、固定鉄心２２の内部に、直線駆動軸８と一体駆動する可動鉄心２１を備えており、閉極コイル９、あるいは開極コイル２０への通電により、直線駆動軸８および可動鉄心２１が動作を行う。
この発明の実施の形態１のスイッチギヤ１００ａによれば、第１の一体単相モジュール５０ａ内の機械的駆動部が、全て一直線上に配置されている。その結果、駆動方向の変換軸や他のモジュールとの駆動部連結が不要となり、かつ主回路連結方向に電磁操作機構３を配置することがなくなる。
また、この発明の実施の形態１のスイッチギヤ１００ａによれば、コンパクトな構成が可能となるだけでなく、駆動方向の変換軸の無いシンプルな構造が可能となり、メンテナンス性に優れた信頼性の高いスイッチギヤの提供が可能となる。
【００１２】
また、実施の形態１において、開閉器は、遮断器あるいは断路器であるので、様々な開閉器のモジュール化が可能となる。さらにまた、モールド絶縁体１４の外側表面は、導電性の塗料あるいは樹脂により接地されていてもよい。これにより、感電のおそれが減少し、安全性が高くなるのみでなく、モジュールを覆う筺体が不要となり、コストの削減が可能となる。さらにまた、電磁操作機構３は、固定側電極５ａと可動側電極５ｂとの間の距離を例えば２段階に変更させることにより、可動側電極５ｂを遮断位置と断路器位置とに変更させ、開閉器を遮断器と断路器の複合開閉装置とすることができる。これにより、遮断器と断路器を同一電極で構成することが可能となり、スイッチギヤに必要な主回路構成の構築時に、部品点数の削減と、必要モジュール数の削減が可能となる。
【００１３】
実施の形態２．
図２は、この発明の実施の形態２におけるスイッチギヤの要部を示す断面側面図である。実施の形態２において、実施の形態１と同一の符号については、実施の形態１と同一の構成であるので説明を省略する。図２に示すように、第２の一体単相モジュール５０ｂの内部には、１組の電極５を収納すると共に、接地開閉を目的とした接地電極１５を備えている。電極５は、絶縁体を有する筒状の第１の真空容器４ａの内部に収納されている。また、接地電極１５は、絶縁体を有する筒状の第２の真空容器４ｂの内部に収納されている。
第２の真空容器４ｂの内部に封入された接地電極１５は、固定側接地電極１５ａおよび可動側接地電極１５ｂを備えている。また、第２の真空容器４ｂの内部には、第１の真空容器４ａと第２の真空容器４ｂとの間に挟まれた電流取り出し用の固定側接続導体６に接続されると共に、固定側接地電極１５ａに接続される固定側接地電極棒１６が設けられている。
【００１４】
さらにまた、第２の一体単相モジュール５０ｂは、第２の真空容器４ｂの外部に配置され、直線駆動する第２の直線駆動軸８ｂを有する第２の電磁操作機構３ｂを備えている。また、第２の電磁操作機構３ｂは、第１の電磁操作機構３ａに対向して配置されている。さらにまた、第２の一体単層モジュール５０ｂは、可動側接地電極１５ｂに接続されると共に、第２の電磁操作機構３ｂの第２の直線駆動軸８ｂに連結する可動側接地電極棒１７を備えている。
さらに、固定側電極５ａ、可動側電極５ｂ、固定側電極棒７、第１の直線駆動軸８ａ、可動側電極棒１０、固定側接地電極１５ａ、可動側接地電極１５ｂ、固定側接地電極棒１６、第２の直線駆動軸８ｂおよび可動側接地電極棒１７は、それぞれの中心軸が同一線上に配置された状態で固定されている。また、第１の真空容器４ａおよび第２の真空容器４ｂ、固定側接続導体６および可動側接続導体１１は、モールド絶縁体によって被覆されている。第１の電磁操作機構３ａおよび第２の電磁操作機構３ｂは、モールド絶縁体１４に固定され取り付けられている。また、機械的駆動部は、第２の一体単相モジュール５０ｂにて完結した構成である。
【００１５】
この発明の実施の形態２のスイッチギヤによれば、電極５に接地電極１５が複合された場合でも、第２の一体単相モジュール５０ｂ内の機械的駆動部が全て一直線上となる１つのモジュールの構成が可能である。また、駆動方向の変換軸や他のモジュールとの駆動部連結が不要となり、且つ主回路連結方向に第１の電磁操作機構３ａ、第２の電磁操作機構３ｂを配置することがなくなる。また、第２の一体単相モジュール５０ｂは、その構造が完結した独立構造である。よって、この発明の実施の形態２のスイッチギヤによれば、実施の形態１の構成に接地電極が追加されたにもかかわらず、スイッチギヤのコンパクトな構成が可能となる。また、この発明の実施の形態２のスイッチギヤによれば、駆動方向の変換軸の無いシンプルな構造が可能となり、メンテナンス性の良い信頼性の高いスイッチギヤの提供が可能となる。さらに、この発明の実施の形態２における第１の電磁操作機構３ａおよび第２の電磁操作機構３ｂは、図６に示した実施の形態１における電磁操作機構３と同様の構成を備えている。
【００１６】
実施の形態３．
図３は、この発明の実施の形態３におけるスイッチギヤを示す外形図である。より詳細には、図３は、ケーブルコネクタ１３側から一体単相モジュール５０を見た時の正面図である。実施の形態３において、実施の形態１および実施の形態２と同一の符号については、実施の形態１および実施の形態２と同一の構成であるので説明を省略する。図３においては、一体単相モジュール５０が横方向に３台並んで配置されており、３相用のスイッチギヤとなっている。図３は、一体単相モジュール５０を３台並べ、上下方向から夫々ケーブルコネクタ１３を接続した構成となっている。
このような構成によれば、一体単相モジュール５０は、構造が完結した独立構造であるため、例えば、一体単相モジュール５０を１台から４台並べるのみで、単相から４相に対応した開閉器の構築が可能である。
この発明の実施の形態３のスイッチギヤの構成によれば、単相から４相に対応した開閉器の構築が容易であり、各モジュールの標準化により、納期の短縮、コストの削減が可能となる。
【００１７】
実施の形態４．
図４は、この発明の実施の形態４におけるスイッチギヤの要部を示す断面図である。実施の形態４においては、実施の形態１および実施の形態２と同一の符号については、実施の形態１および実施の形態２と同一の構成であるので説明を省略する。
図４に示すように、例えば別の一体単相モジュールなどの他のモジュールとの主回路接続のため、固定側接続導体６は、モールド絶縁体１４により凸形状に成形された凸形状のモールド成形部分２３ａを有している。また、可動側接続導体１１は、モールド絶縁体により凹形状に成形された凹形状のモールド成形部分２３ｂを有している。なお、実施の形態４においては、モールド絶縁体１４の固定側接続導体６のモールド成形部分２３ａを凸形状とし、モールド絶縁体１４の可動側接続導体１１のモールド成形部分２３ｂを凹形状としたが、その逆を選択しても良い。
【００１８】
これらモールド絶縁体１４のモールド成形部分２３ａおよび２３ｂには、凸形状に対して凹形状の接続モジュール１８ａ、凹形状に対して凸形状の接続モジュール１８ｂが接続され、別の一体単相モジュールとの接続を行う。凹形状の接続モジュール１８ａは、中心に導体を配し両端が凹形状の別のモールド絶縁体によって成形された接続モジュールである。また、凸形状の接続モジュール１８ｂは、中心に導体を配し両端が凸形状の別のモールド絶縁体によって成形された接続モジュールである。このような構成によれば、第３の一体単相モジュール５０ｃと他の一体単相モジュールとの主回路接続形状の標準化が可能となる。
この発明の実施の形態４のスイッチギヤによれば、他のモジュールとの接続が容易となり、各モジュールの標準化により、納期の短縮、コストの削減が可能となる。
【００１９】
実施の形態５．
図５は、この発明の実施の形態５におけるスイッチギヤを示す断面図である。実施の形態５においては、実施の形態１および実施の形態２と同一の符号については、実施の形態１および実施の形態２と同一の構成であるので説明を省略する。実施の形態５においては、図５に示すように、第２の一体単相モジュール５０ｂと第４の一体単相モジュール５０ｄを、同一相にて凹形状の接続モジュール１８ａを用いて接続し主回路を構成している。また、図５においては、他の主回路機器との接続には、ケーブルコネクタ１３を用いている。実施の形態５において、相数は自由に選択が可能である。
このような構成によれば、必要な一体単相モジュール５０を選択し、接続モジュール１８を用いて組み合わせることで、顧客仕様の主回路構成が実現可能となる。
この発明の実施の形態５のスイッチギヤの構成によれば、様々な主回路構成の構築が容易であり、各モジュールの標準化により、納期の短縮、コストの削減が可能となる。
なお、この発明は、その発明の範囲内において、各実施の形態を自由に組み合わせたり、各実施の形態を適宜、変形、省略することが可能である。
【符号の説明】
【００２０】
１  制御箱、２  架台、３  電磁操作機構、３ａ  第１の電磁操作機構、３ｂ  第２の電磁操作機構、４  真空容器、４ａ  第１の真空容器、４ｂ  第２の真空容器、５  電極、５ａ  固定側電極、５ｂ  可動側電極、６  固定側接続導体、７  固定側電極棒、８  直線駆動軸、８ａ  第１の直線駆動軸、８ｂ  第２の直線駆動軸、９  絶縁支持棒、１０  可動側電極棒、１１  可動側接続導体、１２  可とう性導体、１３  ケーブルコネクタ、１４  モールド絶縁体、１５  接地電極、１５ａ  固定側接地電極、１５ｂ  可動側接地電極、１６  固定側接地電極棒、１７  可動側接地電極棒、１８  接続モジュール、１８ａ  凹形状の接続モジュール、１８ｂ  凸形状の接続モジュール、１９  閉極コイル、２０  開極コイル、２１  可動鉄心、２２  固定鉄心、２３ａ  凸形状のモールド成形部分、２３ｂ  凹形状のモールド成形部分、５０  一体単相モジュール、５０ａ  第１の一体単相モジュール、５０ｂ  第２の一体単相モジュール、５０ｃ  第３の一体単相モジュール、５０ｄ  第４の一体単相モジュール、１００  スイッチギヤ。  
【図１】
2016125328.tif 000003
【図２】
2016125328.tif 000004
【図３】
2016125328.tif 000005
【図４】
2016125328.tif 000006
【図５】
2016125328.tif 000007
【図６】
2016125328.tif 000008
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
筒状の真空容器の内部に封入されており、開閉器を構成する固定側電極および可動側電極と、
前記真空容器の端部に設けられ、電流取り出し用の固定側接続導体に接続されると共に、前記固定側電極に接続される固定側電極棒と、
前記真空容器の外部に配置され、直線駆動する直線駆動軸を有する電磁操作機構と、
前記可動側電極に接続されると共に、前記真空容器の内部に配置された絶縁支持棒を介して前記電磁操作機構の前記直線駆動軸に連結される可動側電極棒と、
前記可動側電極棒からの電流取り出し用であり、前記真空容器、前記固定側接続導体と共にモールド絶縁体によって被覆された可動側接続導体と、を備え、
前記固定側接続導体または前記可動側接続導体は、前記モールド絶縁体により凸形状に成形されたモールド成形部分を有し、
前記固定側電極、前記可動側電極、前記固定側電極棒、前記電磁操作機構の前記直線駆動軸および前記可動側電極棒のそれぞれの中心軸を同一線上に配置した状態で、前記真空容器と前記固定側接続導体と前記可動側接続導体の外周を前記モールド絶縁体にて一体に被覆するとともに、前記可動側電極棒に前記電磁操作機構の前記直線駆動軸を連結して一体単相モジュールを構成し、
前記一体単相モジュールは、別の一体単相モジュールとの接続を、中心に導体を配し両端が凹形状の別のモールド絶縁体によって成形された接続モジュールを用いておこなうことを特徴とするスイッチギヤ。
【請求項２】
筒状の真空容器の内部に封入されており、開閉器を構成する固定側電極および可動側電極と、
前記真空容器の端部に設けられ、電流取り出し用の固定側接続導体に接続されると共に、前記固定側電極に接続される固定側電極棒と、
前記真空容器の外部に配置され、直線駆動する直線駆動軸を有する電磁操作機構と、
前記可動側電極に接続されると共に、前記真空容器の内部に配置された絶縁支持棒を介して前記電磁操作機構の前記直線駆動軸に連結される可動側電極棒と、
前記可動側電極棒からの電流取り出し用であり、前記真空容器、前記固定側接続導体と共にモールド絶縁体によって被覆された可動側接続導体と、を備え、
前記固定側接続導体または前記可動側接続導体は、前記モールド絶縁体により凹形状に成形されたモールド成形部分を有し、
前記固定側電極、前記可動側電極、前記固定側電極棒、前記電磁操作機構の前記直線駆動軸および前記可動側電極棒のそれぞれの中心軸を同一線上に配置した状態で、前記真空容器と前記固定側接続導体と前記可動側接続導体の外周を前記モールド絶縁体にて一体に被覆するとともに、前記可動側電極棒に前記電磁操作機構の前記直線駆動軸を連結して一体単相モジュールを構成し、
前記一体単相モジュールは、別の一体単相モジュールとの接続を、中心に導体を配し両端が凸形状の別のモールド絶縁体によって成形された接続モジュールを用いておこなうことを特徴とするスイッチギヤ。
【請求項３】
筒状の別の真空容器の内部に封入されており、接地開閉器を構成する固定側接地電極および可動側接地電極と、
前記別の真空容器の端部に設けられ、電流取り出し用の前記固定側接続導体に接続されると共に、前記固定側接地電極に接続される固定側接地電極棒と、
前記別の真空容器の外部に前記電磁操作機構に対向して配置され、直線駆動する別の直線駆動軸を有する別の電磁操作機構と、
前記可動側接地電極に接続されると共に、前記別の電磁操作機構の前記別の直線駆動軸に連結される可動側接地電極棒と、
を備え、
前記固定側電極、前記可動側電極、前記固定側接地電極、前記可動側接地電極、前記固定側電極棒、前記固定側接地電極棒、前記直線駆動軸、前記別の直線駆動軸、前記可動側電極棒および前記可動側接地電極棒のそれぞれの中心軸が同一線上に配置された状態で固定されており、
前記真空容器および前記別の真空容器、前記固定側接続導体および前記可動側接続導体は、前記モールド絶縁体によって被覆されており、前記電磁操作機構は、前記真空容器の前記可動側電極棒に前記電磁操作機構の前記直線駆動軸を連結するとともに、前記別の電磁操作機構は、前記別の真空容器の前記可動側接地電極棒に前記別の電磁操作機構の前記別の直線駆動軸を連結して構成した前記一体単相モジュールであることを特徴とする請求項１または請求項２に記載のスイッチギヤ。
【請求項４】
前記一体単相モジュールと前記別の一体単相モジュールと前記接続モジュールとで構成されており、
前記一体単相モジュールと前記別の一体単相モジュールとは、前記接続モジュールで接続されたことを特徴とする請求項１から請求項３のいずれか１項に記載のスイッチギヤ。
【請求項５】
前記開閉器は、遮断器あるいは断路器であることを特徴とする請求項１から請求項４のいずれか１項に記載のスイッチギヤ。
【請求項６】
前記モールド絶縁体の外側表面は、導電性の塗料あるいは樹脂により接地されていることを特徴とする請求項１から請求項５のいずれか１項に記載のスイッチギヤ。
【請求項７】
前記電磁操作機構は、前記固定側電極と前記可動側電極との間の距離を変更させることにより、前記可動側電極を遮断位置と断路器位置とに変更させ、前記開閉器を前記遮断器と前記断路器の複合開閉装置としたことを特徴とする請求項５に記載のスイッチギヤ。
【請求項８】
前記一体単相モジュールを複数台並列に配置し、複数相用に対応させたことを特徴とする請求項１から請求項７のいずれか１項に記載のスイッチギヤ。 
【手続補正２】
【補正対象書類名】明細書
【補正対象項目名】０００６
【補正方法】変更
【補正の内容】
【０００６】
この発明に係わるスイッチギヤは、筒状の真空容器の内部に封入されており、開閉器を構成する固定側電極および可動側電極と、前記真空容器の端部に設けられ、電流取り出し用の固定側接続導体に接続されると共に、前記固定側電極に接続される固定側電極棒と、前記真空容器の外部に配置され、直線駆動する直線駆動軸を有する電磁操作機構と、前記可動側電極に接続されると共に、前記真空容器の内部に配置された絶縁支持棒を介して前記電磁操作機構の前記直線駆動軸に連結される可動側電極棒と、前記可動側電極棒からの電流取り出し用であり、前記真空容器、前記固定側接続導体と共にモールド絶縁体によって被覆された可動側接続導体と、を備え、前記固定側接続導体または前記可動側接続導体は、前記モールド絶縁体により凸形状に成形されたモールド成形部分を有し、前記固定側電極、前記可動側電極、前記固定側電極棒、前記電磁操作機構の前記直線駆動軸および前記可動側電極棒のそれぞれの中心軸を同一線上に配置した状態で、前記真空容器と前記固定側接続導体と前記可動側接続導体の外周を前記モールド絶縁体にて一体に被覆するとともに、前記可動側電極棒に前記電磁操作機構の前記直線駆動軸を連結して一体単相モジュールを構成し、前記一体単相モジュールは、別の一体単相モジュールとの接続を、中心に導体を配し両端が凹形状の別のモールド絶縁体によって成形された接続モジュールを用いておこなうことを特徴とするものである。
また、この発明に係わるスイッチギヤは、筒状の真空容器の内部に封入されており、開閉器を構成する固定側電極および可動側電極と、前記真空容器の端部に設けられ、電流取り出し用の固定側接続導体に接続されると共に、前記固定側電極に接続される固定側電極棒と、前記真空容器の外部に配置され、直線駆動する直線駆動軸を有する電磁操作機構と、前記可動側電極に接続されると共に、前記真空容器の内部に配置された絶縁支持棒を介して前記電磁操作機構の前記直線駆動軸に連結される可動側電極棒と、前記可動側電極棒からの電流取り出し用であり、前記真空容器、前記固定側接続導体と共にモールド絶縁体によって被覆された可動側接続導体と、を備え、前記固定側接続導体または前記可動側接続導体は、前記モールド絶縁体により凹形状に成形されたモールド成形部分を有し、前記固定側電極、前記可動側電極、前記固定側電極棒、前記電磁操作機構の前記直線駆動軸および前記可動側電極棒のそれぞれの中心軸を同一線上に配置した状態で、前記真空容器と前記固定側接続導体と前記可動側接続導体の外周を前記モールド絶縁体にて一体に被覆するとともに、前記可動側電極棒に前記電磁操作機構の前記直線駆動軸を連結して一体単相モジュールを構成し、前記一体単相モジュールは、別の一体単相モジュールとの接続を、中心に導体を配し両端が凸形状の別のモールド絶縁体によって成形された接続モジュールを用いておこなうことを特徴とするものである。
【手続補正３】
【補正対象書類名】明細書
【補正対象項目名】００１１
【補正方法】変更
【補正の内容】
【００１１】
さらに、固定側電極５ａ、可動側電極５ｂ、固定側電極棒７、電磁操作機構３の直線駆動軸８および可動側電極棒１０は、それぞれの中心軸が同一線上に配置された状態で固定されている。また、電磁操作機構３は、モールド絶縁体１４に固定されて取り付けられている。実施の形態１において、機械的駆動部は、第１の一体単相モジュール５０ａにて完結した構成である。図１において、機械的駆動部は、可動側電極５ｂ、電磁操作機構３の直線駆動軸８、絶縁支持棒９、可動側電極棒１０で構成されている。
また、図６は、実施の形態１における電磁操作機構３の詳細を示す断面側面図である。図６に示すように、電磁操作機構３は、固定鉄心２２の内部に、直線駆動軸８と一体駆動する可動鉄心２１を備えており、閉極コイル１９、あるいは開極コイル２０への通電により、直線駆動軸８および可動鉄心２１が動作を行う。
この発明の実施の形態１のスイッチギヤ１００ａによれば、第１の一体単相モジュール５０ａ内の機械的駆動部が、全て一直線上に配置されている。その結果、駆動方向の変換軸や他のモジュールとの駆動部連結が不要となり、かつ主回路連結方向に電磁操作機構３を配置することがなくなる。
また、この発明の実施の形態１のスイッチギヤ１００ａによれば、コンパクトな構成が可能となるだけでなく、駆動方向の変換軸の無いシンプルな構造が可能となり、メンテナンス性に優れた信頼性の高いスイッチギヤの提供が可能となる。
【国際調査報告】
2016125328.tif 000009
2016125328.tif 000010